【手続補正書】
【提出日】平成18年4月17日(2006.4.17)
【手続補正１】
【補正対象書類名】明細書
【補正対象項目名】発明の名称
【補正方法】変更
【補正の内容】
【発明の名称】通信機器及び通信機器のデータ処理方法
【手続補正２】
【補正対象書類名】明細書
【補正対象項目名】特許請求の範囲
【補正方法】変更
【補正の内容】
【特許請求の範囲】
【請求項１】  他の通信機器の処理対象となる複数のデータを前記他の通信機器が取得するために利用されるリストを作成する作成手段と、
前記作成手段により作成したリストを前記他の通信機器に通知する通知手段と、
前記通知手段により通知したリストに基づき前記他の通信機器から要求されたデータを送信する送信手段と、
前記リストにより指定される複数のデータに対する前記他の通信機器による所定の処理の進捗状況を判別する判別手段と、
前記他の通信機器による前記所定の処理中のエラー発生を識別する識別手段と、
前記識別手段による前記エラー発生の識別に応じて、前記判別手段による判別した進捗状況に基づいて前記他の通信機器の処理対象となるデータを前記他の通信機器が取得するために利用されるリストを再作成する再作成手段と、
前記再作成手段により再作成したリストを他の通信機器に通知する再通知手段と、
を有することを特徴とする通信機器。
【請求項２】  前記作成手段及び前記再作成手段により作成する前記リストは、データの名前に関する情報を含むことを特徴とする請求項１に記載の通信機器。
【請求項３】  前記作成手段及び前記再作成手段により作成する前記リストは、前記他の通信機器に所定の処理を実行させるデータの処理すべき数を含むことを特徴とする請求項１又は２に記載の通信機器。
【請求項４】  前記判別手段による判別に基づいて、前記リストにより指定されるデータの前記所定の処理の進捗状況を表示する第１の表示手段を有することを特徴とする請求項１乃至３の何れかに記載の通信機器。
【請求項５】  前記第１の表示手段は、データを特定する情報に対応させて、前記データを処理すべき回数と、処理完了数と、を表示することを特徴とする請求項４に記載の通信機器。
【請求項６】  前記識別手段は、発生したエラーの種類も識別することを特徴とする請求項１乃至５の何れかに記載の通信機器。
【請求項７】  前記識別手段が前記エラーの発生を識別した場合に、前記所定の処理を再試行するか否かを選択可能に表示する第２の表示手段を有し、
前記再作成手段は、前記再試行が選択された場合に、前記リストを再作成することを特徴とする請求項１乃至６の何れかに記載の通信機器。
【請求項８】  前記第２の表示手段は、前記再作成されたリストにより指定されるデータの前記所定の処理を行わせる他の通信機器を選択可能に表示することを特徴とする請求項７に記載の通信機器。
【請求項９】  前記識別手段による前記エラー発生の識別に応じて、前記他の通信機器による前記所定の処理が未処理のデータを示す情報と、各データの未処理回数とを表示し、少なくとも前記未処理回数をユーザにより変更可能に表示する第３の表示手段と、
ユーザ操作により前記第３の表示手段により表示された情報を変更する変更手段と、を有し、
前記再作成手段は、前記変更手段による変更に基づいて、前記リストを再作成することを特徴とする請求項１乃至３の何れかに記載の通信機器。
【請求項１０】  前記識別手段は、前記他の通信機器からのデータの取得要求に対する応答を返したときにタイマを起動し、所定時間内に次の取得要求が受信されなかった場合に、前記エラーが発生したと識別することを特徴とする請求項１乃至９の何れかに記載の通信機器。
【請求項１１】  他の通信機器の処理対象となる複数のデータを前記他の通信機器が取得するために利用されるリストを作成する作成手段と、
前記作成手段により作成したリストを通信相手に通知する通知手段と、
前記リストを通知した前記通信相手が前記リストに基づいて送信したデータの送信要求を受信する受信手段と、
前記受信手段により受信された送信要求に応じて、前記通信相手にデータを送信する送信手段と、
前記送信手段による前記データ送信に応答して、所定時間を計時する計時手段と、
前記リストにより指定されるデータであって、前記通信相手に未送信のデータがまだ存在する場合に、前記所定時間が経過しても、前記受信手段により次の送信要求が受信されない場合に、前記通信相手にエラーが発生したと判断する判断手段と、
を有することを特徴とする通信機器。
【請求項１２】  他の通信機器の処理対象となる複数のデータを前記他の通信機器が取得するために利用されるリストを作成する作成工程と、
前記作成工程において作成したリストを前記他の通信機器に通知する通知工程と、
前記通知工程において通知したリストに基づき前記他の通信機器から要求されたデータを送信する送信工程と、
前記リストにより指定される複数のデータに対する前記他の通信機器による所定の処理の進捗状況を判別する判別工程と、
前記他の通信機器による前記所定の処理中のエラー発生を識別する識別工程と、
前記識別工程における前記エラー発生の識別に応じて、前記判別工程において判別した進捗状況に基づいて前記他の通信機器の処理対象となるデータを前記他の通信機器が取得するために利用されるリストを再作成する再作成工程と、
前記再作成工程において再作成したリストを他の通信機器に通知する再通知工程と、
を有することを特徴とする通信機器のデータ処理方法。
【請求項１３】  他の通信機器の処理対象となる複数のデータを前記他の通信機器が取得するために利用されるリストを作成する作成工程と、
前記作成手工程において作成したリストを通信相手に通知する通知工程と、
前記リストを通知した前記通信相手が前記リストに基づいて送信したデータの送信要求を受信する受信工程と、
前記受信工程において受信された送信要求に応じて、前記通信相手にデータを送信する送信工程と、
前記送信工程における前記データ送信に応答して、所定時間を計時する計時工程と、
前記リストにより指定されるデータであって、前記通信相手に未送信のデータがまだ存在する場合に、前記所定時間が経過しても、前記受信工程において次の送信要求が受信されない場合に、前記通信相手にエラーが発生したと判断する判断工程と、
を有することを特徴とする通信機器のデータ処理方法。
【手続補正３】
【補正対象書類名】明細書
【補正対象項目名】０００１
【補正方法】変更
【補正の内容】
【０００１】
【発明の属する技術分野】
本発明は、撮影した画像を、ＰＣを介さずに印刷装置へ直接無線通信を用いて転送して印刷させるという、いわゆる無線ダイレクトプリント方式に対応した撮像装置等の通信機器および通信機器のデータ処理方法に関する。
【手続補正４】
【補正対象書類名】明細書
【補正対象項目名】０００５
【補正方法】変更
【補正の内容】
【０００５】
【課題を解決するための手段】
そこで本発明では、上記課題を解決するために、他の通信機器の処理対象となる複数のデータを前記他の通信機器が取得するために利用されるリストを作成する作成手段と、前記作成手段により作成したリストを前記他の通信機器に通知する通知手段と、前記通知手段により通知したリストに基づき前記他の通信機器から要求されたデータを送信する送信手段と、前記リストにより指定される複数のデータに対する前記他の通信機器による所定の処理の進捗状況を判別する判別手段と、前記他の通信機器による前記所定の処理中のエラー発生を識別する識別手段と、前記識別手段による前記エラー発生の識別に応じて、前記判別手段による判別した進捗状況に基づいて前記他の通信機器の処理対象となるデータを前記他の通信機器が取得するために利用されるリストを再作成する再作成手段と、前記再作成手段により再作成したリストを他の通信機器に通知する再通知手段と、を有することを特徴とする通信機器を提供する。
【手続補正５】
【補正対象書類名】明細書
【補正対象項目名】０００６
【補正方法】変更
【補正の内容】
【０００６】
また、他の通信機器の処理対象となる複数のデータを前記他の通信機器が取得するために利用されるリストを作成する作成手段と、前記作成手段により作成したリストを通信相手に通知する通知手段と、前記リストを通知した前記通信相手が前記リストに基づいて送信したデータの送信要求を受信する受信手段と、前記受信手段により受信された送信要求に応じて、前記通信相手にデータを送信する送信手段と、前記送信手段による前記データ送信に応答して、所定時間を計時する計時手段と、前記リストにより指定されるデータであって、前記通信相手に未送信のデータがまだ存在する場合に、前記所定時間が経過しても、前記受信手段により次の送信要求が受信されない場合に、前記通信相手にエラーが発生したと判断する判断手段と、を有することを特徴とする通信機器を提供する。
【手続補正６】
【補正対象書類名】明細書
【補正対象項目名】０００７
【補正方法】変更
【補正の内容】
【０００７】
また、他の通信機器の処理対象となる複数のデータを前記他の通信機器が取得するために利用されるリストを作成する作成工程と、前記作成工程において作成したリストを前記他の通信機器に通知する通知工程と、前記通知工程において通知したリストに基づき前記他の通信機器から要求されたデータを送信する送信工程と、前記リストにより指定される複数のデータに対する前記他の通信機器による所定の処理の進捗状況を判別する判別工程と、前記他の通信機器による前記所定の処理中のエラー発生を識別する識別工程と、前記識別工程における前記エラー発生の識別に応じて、前記判別工程において判別した進捗状況に基づいて前記他の通信機器の処理対象となるデータを前記他の通信機器が取得するために利用されるリストを再作成する再作成工程と、前記再作成工程において再作成したリストを他の通信機器に通知する再通知工程と、を有することを特徴とする通信機器のデータ処理方法を提供する。
【手続補正７】
【補正対象書類名】明細書
【補正対象項目名】０００８
【補正方法】変更
【補正の内容】
【０００８】
また、他の通信機器の処理対象となる複数のデータを前記他の通信機器が取得するために利用されるリストを作成する作成工程と、前記作成手工程において作成したリストを通信相手に通知する通知工程と、前記リストを通知した前記通信相手が前記リストに基づいて送信したデータの送信要求を受信する受信工程と、前記受信工程において受信された送信要求に応じて、前記通信相手にデータを送信する送信工程と、前記送信工程における前記データ送信に応答して、所定時間を計時する計時工程と、前記リストにより指定されるデータであって、前記通信相手に未送信のデータがまだ存在する場合に、前記所定時間が経過しても、前記受信工程において次の送信要求が受信されない場合に、前記通信相手にエラーが発生したと判断する判断工程と、を有することを特徴とする通信機器のデータ処理方法を提供する。